(57)【要約】【課題】羽根車に付着した油、埃汚れを洗浄するレンジフードにおいて、羽根車への汚れの再付着を抑制し、洗浄後に洗剤の成分を羽根車に残さないレンジフードを提供する。【解決手段】洗浄液３１を散布するノズル３４と、ノズル３４よりも下方で洗浄剤３６を貯蔵する洗浄剤貯蔵部３７を備え、ノズル３４と洗浄剤貯蔵部３７が、側面板２１上で洗浄液３１の貯水時の水面より上部である位置で、羽根車１１の回転軸２８よりも下部である位置に、羽根車１１の回転方向の順に並べて配置しており、ノズル３４から、洗浄剤３６および羽根車１１のどちらにも洗浄液３１を散布できるという構成にしたことにより、ノズル３４からの洗浄液３１を洗浄剤３６に散布して洗浄液３１に洗浄剤３６を溶出させ、羽根車１１に付着した油汚れを取り除くことができ、ノズル３４からの洗浄液３１の散布を羽根車１１に散布することで羽根車１１のすすぎを行う。【選択図】図１
2018138831.tif 000002
【特許請求の範囲】
【請求項１】
電動機に回転軸を軸支した羽根車と、
洗浄液を散布するノズルと、
前記回転軸を横にして配置し、前記回転軸の延長方向に配置した前面板および背面板と前記回転軸の外周側に配置した側面板とで前記羽根車を内包し、前記ノズルから散布された洗浄液を貯水して前記羽根車の一部のブレードを浸漬させる洗浄ケーシングと、
を備え前記羽根車の洗浄を行なうレンジフードであって、
前記洗浄ケーシング内において、
前記ノズルよりも下方で洗浄剤を貯蔵する洗浄剤貯蔵部を備え、
前記ノズルと洗浄剤貯蔵部は、前記側面板上で、前記洗浄ケーシング内への前記洗浄液の貯水時の水面より上部である位置で、かつ前記回転軸よりも下部である位置に、前記羽根車の回転方向の順に並べて配置しており、
前記ノズルから、前記洗浄剤および前記羽根車のどちらか一方に選択的に前記洗浄液を散布できることを特徴とするレンジフード。
【発明の詳細な説明】
【技術分野】
【０００１】
本発明は、レンジフードに取り付ける油捕集機構部の汚れ除去に関するものである。
【背景技術】
【０００２】
従来、この種のレンジフードは、図１０に示すように、調理器具（図示せず）の上方に、調理器具から発生する油煙や周囲に浮遊する埃等を捕集する吸込口１０１を設けたフード１０２を壁面１０３に設置し、フード１０２には、天面には屋外とダクト１０４を介して連通する排出口１０５を設け、内部には回転軸１０６を略水平にして配置した電動機１０７と、回転軸１０６に取り付けた羽根車１０８と、羽根車１０８を包括した洗浄ケーシング１０９を配設し、この羽根車１０８を介し吸込口１０１と排出口１０５を結ぶ通風路１１０を形成している。また、フード１０２の吸込口１０１近傍には平板状の整流板１１１が配設されている。
【０００３】
洗浄ケーシング１０９の下方には、洗浄液１１２を貯水する貯水装置１１３と給水ポンプ１１４を設け、洗浄ケーシング１０９には、給水ポンプ１１４から接続された散水ノズル１１５を設けている。洗浄ケーシング１０９の下端部には孔１１６を設けて、孔１１６は洗浄ケーシング１０９内に洗浄液１１２を貯排する開閉弁１１７を設け、開閉弁１１７の下方に排水トレイ１１８を構成している。
【０００４】
図１１に示すように、遠心ファンの羽根車１０８は、主板１１９に立設した複数のブレード１２０を備え、羽根車１０８内部には、リング状の油捕集機構部１２１を、ブレード１２０から１５〔ｍｍ〕程度の距離を離して、回転軸１０６方向に所定間隔を空けて複数枚取り付けている。
【０００５】
以下、そのレンジフードについて図１２を参照しながら説明する。
【０００６】
洗浄時には、羽根車１０８の回転軸１０６より下方の部分が、洗浄ケーシング１０９内で貯水装置１１３（図示せず）から供給された洗浄液１１２に浸漬される。羽根車１０８および油捕集機構部１２１には、レンジフードの使用に伴い汚れが付着しているため、羽根車１０８を回転軸１０６で回転させることで、汚れが付着した部分を洗浄液１１２に浸漬させて洗浄することができる（例えば、特許文献１を参照）。
【０００７】
また、頑固な油汚れを除去する場合には、貯水装置に洗剤を投入することで、油汚れを浮かして洗浄することができる（例えば、特許文献２を参照）。
【先行技術文献】
【特許文献】
【０００８】
【特許文献１】特開２０１４−０６２７１０号公報
【特許文献２】実用新案登録第３１７６８７８号公報
【発明の概要】
【発明が解決しようとする課題】
【０００９】
従来のレンジフードにおいては、洗浄後に洗浄液を排出する際に、羽根車への油・埃汚れの再付着を低減するために羽根車を回転させながら洗浄後の洗浄液を排出するという方法をとっていた。しかしながらこの方法も万全ではなく、洗浄後の洗浄液に含まれる油・埃汚れが羽根車全体に薄く付着してしまう要因ともなっていた。
【００１０】
また、洗剤を投入する場合には、洗剤に含まれるアルカリ成分などが羽根車に残存することで構成材料の腐食に繋がることも懸念され洗浄できる部位が限定される場合もある。
【００１１】
そこで本発明は、上記従来の課題を解決するものであり、羽根車への汚れの再付着を抑制し、また洗浄後に洗剤の成分を羽根車に残さないレンジフードを提供することを目的としている。
【課題を解決するための手段】
【００１２】
そして、この目的を達成するために、本発明は、電動機に回転軸を軸支した羽根車と、洗浄液を散布するノズルと、前記回転軸を横にして配置し、前記回転軸の延長方向に配置した前面板および背面板と前記回転軸の外周側に配置した側面板とで前記羽根車を内包し、前記ノズルから散布された洗浄液を貯水して前記羽根車の一部のブレードを浸漬させる洗浄ケーシングとを備え前記羽根車の洗浄を行なうレンジフードであって、前記ノズルよりも下方で洗浄剤を貯蔵する洗浄剤貯蔵部を備え、前記ノズルと洗浄剤貯蔵部は、前記側面板上で、前記洗浄液の貯水時の水面より上部である位置で、かつ前記回転軸よりも下部である位置に、前記羽根車の回転方向の順に並べて配置しており、前記ノズルから、前記洗浄剤および前記羽根車のどちらか一方に選択的に前記洗浄液を散布できることを特徴としたものであり、これにより所期の目的を達成するものである。
【発明の効果】
【００１３】
本発明は、電動機に回転軸を軸支した羽根車と、洗浄液を散布するノズルと、前記回転軸を横にして配置し、前記回転軸の延長方向に配置した前面板および背面板と前記回転軸の外周側に配置した側面板とで前記羽根車を内包し、前記ノズルから散布された洗浄液を貯水して前記羽根車の一部のブレードを浸漬させる洗浄ケーシングとを備え前記羽根車の洗浄を行なうレンジフードであって、前記ノズルよりも下方で洗浄剤を貯蔵する洗浄剤貯蔵部を備え、前記ノズルと洗浄剤貯蔵部は、前記側面板上で、前記洗浄液の貯水時の水面より上部である位置で、かつ前記回転軸よりも下部である位置に、前記羽根車の回転方向の順に並べて配置しており、前記ノズルから、前記洗浄剤および前記羽根車のどちらか一方に選択的に前記洗浄液を散布できることを特徴とするものであり、羽根車への汚れの再付着を抑制し、また洗浄後に洗剤の成分を羽根車に残さないレンジフードを提供することができる。
【図面の簡単な説明】
【００１４】
【図１】本発明の実施の形態１のレンジフードを示す正面断面構成図
【図２】同レンジフードを示す側面断面構成図
【図３】同レンジフードの羽根車の種類図
【図４】同レンジフードの羽根車の正面断面構成図
【図５】同レンジフードの羽根車の構成斜視図
【図６】同レンジフードのケーシング構成図
【図７】同レンジフードの特徴を示す回転軸の垂直方向から見た断面図
【図８】同レンジフードの特徴を示す羽根車と洗浄ケーシングおよび洗浄装置の正面断面構成図
【図９】同レンジフードの洗浄工程とすすぎ工程の動作を示すフローチャート
【図１０】従来のレンジフードを示す側面断面構成図
【図１１】同レンジフードの羽根車と油捕集機構部の構成を示す図
【図１２】同レンジフードを示す正面断面構成図
【発明を実施するための形態】
【００１５】
本発明の請求項１記載のレンジフードは、電動機に回転軸を軸支した羽根車と、洗浄液を散布するノズルと、前記回転軸を横にして配置し、前記回転軸の延長方向に配置した前面板および背面板と前記回転軸の外周側に配置した側面板とで前記羽根車を内包し、前記ノズルから散布された洗浄液を貯水して前記羽根車の一部のブレードを浸漬させる洗浄ケーシングとを備え前記羽根車の洗浄を行なうレンジフードであって、前記洗浄ケーシング内において、前記ノズルよりも下方で洗浄剤を貯蔵する洗浄剤貯蔵部を備え、前記ノズルと洗浄剤貯蔵部は、前記側面板上で、前記洗浄ケーシング内への前記洗浄液の貯水時の水面より上部である位置で、かつ前記回転軸よりも下部である位置に、前記羽根車の回転方向の順に並べて配置しており、前記ノズルから、前記洗浄剤および前記羽根車のどちらか一方に選択的に前記洗浄液を散布できることを特徴とする構成を有する。
【００１６】
これにより、ノズルからの洗浄液を洗浄剤に散布して洗浄液に洗浄剤を溶出させ、羽根車に付着した油汚れを取り除くことができ、ノズルからの洗浄液の散布を羽根車に散布することで羽根車のすすぎを行ない、羽根車への汚れの再付着を抑制し、また洗浄後に洗剤の成分を羽根車に残さないということが実現できる。
【００１７】
以下、本発明の実施の形態について図面を参照しながら説明する。
【００１８】
（実施の形態１）
はじめに、本発明のレンジフードの送風機構について説明する。
【００１９】
図１および図２に示すように、レンジフード１は、本体２を壁面３に設置し、排出口４にダクト５を接続して屋外と連通している。本体２は、調理器具（図示せず）の上方で調理器具から発生する油煙や周囲に浮遊する埃等を捕集できるようにフード部６を備えた箱体であって、フード部６の下面７に吸込口８、天面９に前記排出口４を備えている。
【００２０】
本体２の内部には、図２に示す電動機１０により回転するかご型円筒形の羽根車１１を備えた送風機１２を備えている。図３に示すように、羽根車１１には、シロッコファン、ターボファン、エアホイルファン、プレートファン、ターボブロアのように、いくつかの種類があり、本発明はこのいずれにも適用可能であるが、ここではシロッコファン（遠心ファン）を代表例として用いる。すなわち、図１に示す羽根車１１は、羽根車開口部１３を備えるかご型円筒形状を有している。送風機１２は、前記羽根車１１に加えて、この羽根車１１を回転させる電動機１０と羽根車１１を包囲するケーシング１４を備えたシロッコファンである。
【００２１】
図４および図５に示すように、羽根車１１（ここではシロッコファンを用いる）は、少なくとも、複数のブレード１５と環状の側板１６と円形の主板１７で構成されている。ブレード１５は、送風機１２の送風機流入口１８側に位置する前記側板１６と電動機１０側に位置する前記主板１７によって両端部を挟み込むようにして配置している。また、前記ブレード１５は、複数を主板１７上の外周部で円環状に配置している。すなわち、ブレード１５は、主板１７から垂直方向に立設し、同一円周上に配置している。
【００２２】
羽根車１１の内周部には、図５に示すように、リング状の油捕集機構部１９を取り付けており、送風機流入口１８から吸い込まれた油煙が前記油捕集機構部１９に衝突することで油煙に含まれる油汚れが捕集される。すなわち、油捕集機構部１９は油煙と接触する表面積が大きいほど捕集される油量を多くすることができ、互いに一定距離（例えば、１５ｍｍ）を離して、複数枚（ここでは８枚）設置するのが好ましいが、例えば羽根車１１の側板１６側から主板１７側に向かうにつれて設置距離を狭くするというように、設置間隔を変えることもできる。
【００２３】
また、前記油捕集機構部１９は前記羽根車１１と別体としても良く、その場合は例えばパンチングメタルを羽根車１１に対して流入方向の手前に設置する方法もある。しかし、本実施の形態のように前記羽根車１１と前記油捕集機構部１９を一体型とすれば、後述する洗浄工程においてどちらも同時に油汚れを洗浄することができるため好ましい。
【００２４】
図６に示すようにケーシング１４には、前記送風機流入口１８と送風機吹出口２０が備えられている。ケーシング１４は、側面板２１と、この側面板２１を挟むように配置した前面板２２と背面板２３と舌部２４と、側面板２１の延長上に備えた延設板２５と、舌部２４の延長上に備えた延長板２６とを備えている。なお、ケーシング１４において、送風機能を実現するためには延設板２５と、延長板２６は必須ではない。また、前面板２２と背面板２３は、羽根車１１の高さ方向に対応して間隔を開けて配置した平面板である。
【００２５】
送風機吹出口２０は、ケーシング１４の側面部において、前面板２２と背面板２３と延設板２５、延長板２６のそれぞれ端部に囲まれて形成している。また、延設板２５、延長板２６を備えない場合には、前面板２２と背面板２３、側面板２１、舌部２４のそれぞれ端部に囲まれて形成すればよい。
【００２６】
図７に示すように、ケーシング１４は、前面板２２の略中央部にオリフィス２７を備えており、前記送風機流入口１８はオリフィス２７の内周部にある。すなわち、油煙はオリフィス２７の表面を撫でるようにして送風機１２に流入するので、オリフィス２７の断面形状は半円形のような、なめらかで風路を妨げないものがよい。
【００２７】
また、図１および図２で示すように、ケーシング１４は、本体２内部で、前面板２２と背面板２３を立てるように配置し、送風機吹出口２０を上方へ向けて配置している。すなわち、羽根車１１は、回転軸２８を横にして配置し、前記回転軸２８の延長方向に配置した前面板２２および背面板２３と前記回転軸２８の外周側に配置した側面板２１によって内包されている。そして、送風機吹出口２０は、本体２の排出口４へ接続されている。送風機流入口１８は、本体２内部に開口し、吸込口８に連通している。
【００２８】
続いて、本発明のレンジフードの洗浄装置２９について説明する。
【００２９】
洗浄装置２９は、図１に示すように、送風機１２のケーシング１４でもある洗浄ケーシング３０と、洗浄液３１を貯水する貯水装置３２と、給水ポンプ３３と、羽根車１１に洗浄液３１を散水するノズル３４と排水トレイ３５と洗浄剤３６を貯蔵する洗浄剤貯蔵部３７を備えている。給水ポンプ３３は、貯水装置３２に貯水した洗浄液３１をノズル３４へ送水するためのものである。
【００３０】
また、洗浄ケーシング３０は、ブレード１５と油捕集機構部１９の洗浄の際に洗浄液３１を貯めることができる機体であって、下端部に前記洗浄液３１を貯排する開閉弁３８を設け、開閉弁３８の下方に排水トレイ３５を配置している。洗浄ケーシング３０として洗浄液３１の貯液量は、ブレード１５と油捕集機構部１９が浸る程度あれば良い。
【００３１】
また、図８に示すように、ノズル３４と洗浄剤貯蔵部３７は、前記側面板２１上で、前記洗浄液３１の貯水時の水面Ａ-Ａ´より上部である位置で、かつ前記回転軸２８よりも下部である位置に、前記羽根車１１の回転方向の順に並べて配置している。
【００３２】
洗浄剤貯蔵部３７は、洗浄液３１と接する面が目の細かい多孔質で形成された洗浄剤流出面４０を1つの面とした箱体で構成されている。さらに、洗浄剤貯蔵部３７は洗浄剤流出面４０から内部に侵入した洗浄液３１が洗浄剤貯蔵部３７内に留まらず、自重により洗浄ケーシング３０内に排出されるよう底部４１を洗浄剤貯蔵部３７奥部から洗浄剤流出面４０へ向けて略下向き角度に形成しているものとする。つまり、底部４１は、洗浄剤貯蔵部３７奥部に比べて洗浄剤流出面４０側を低くした傾斜面としている。
【００３３】
さらに、給水ポンプ３３を駆動するモーター（図示せず）の出力を変化させる給水ポンプ駆動部４２を備えている。給水ポンプ駆動部４２は、散水の勢いを２段階に切り替えるものである。洗浄液３１は、散水の勢いが弱ければ散水方向Ａに示すように前記側面板２１の内壁を伝わって洗浄剤貯蔵部３７に到達し、強ければ散水方向Ｂに示すように噴射口３９の対面に位置する羽根車１１に到達する。すなわち、ノズル３４から散水される洗浄液３１は、給水ポンプ駆動部４２の作用によって、前記洗浄剤貯蔵部３７および前記羽根車１１のどちらにも散布できるものである。
【００３４】
ノズル３４の散水の勢いの強弱は、マイコン（図示せず）からの制御信号によって給水ポンプ駆動部４２が給水ポンプ３３を駆動するモーター（図示せず）の出力を変化させることで調節することが可能となる。
【００３５】
上記構成において、調理で油煙が発生しているときに電動機１０（好ましくはＤＣモータ）を作動させると、羽根車１１が回転し、油煙や埃を含んだ空気が吸込口８から吸い込まれ、本体２内で羽根車１１内を通過する際、油や埃がリング状の油捕集機構部１９に衝突してくっつき捕集され、それらが除去された空気が洗浄ケーシング３０内を通った後、排出口４を介してダクト５を通って屋外に排出される。
【００３６】
これを繰り返すと、油捕集機構部１９、羽根車１１のブレード１５および主板１７に油や埃が蓄積されていき、目詰まりを発生させ、排出風量の低下を招いたり、美観が損なわれたりすることとなる。そこで、排出風量の低下を防ぐために、油捕集機構部１９、羽根車１１のブレード１５の洗浄を行うこととなる。
【００３７】
以下、洗浄の動作におけるノズル３４の動作説明を洗浄工程（洗浄剤の溶出）とすすぎ工程（羽根のすすぎ）のなかで、図８、および図９のフローチャートを用いて説明する。フローチャートで示す各動作は、制御部（図示せず）のメモリ（図示せず）に格納されたプログラムをもとにマイコン（図示せず）からの制御により実行されるものである。
【００３８】
洗浄工程では、電動機１０を停止させ（Ｓ１）、開閉弁３８を閉じ（Ｓ２）、給水ポンプ３３により貯水装置３２に貯めた洗浄液３１の一部を汲み上げノズル３４に供給する（Ｓ３）。このとき、洗浄液３１は、給水ポンプ駆動部４２の作用によって所定時間、ノズル３４から散水方向Ａに散水され（Ｓ４）、側面板２１の内壁に沿って洗浄剤貯蔵部３７に到達し、洗浄剤３６の洗浄成分を含んで洗浄ケーシング３０に貯水される。このとき、洗浄剤流出面４０より浸透した洗浄液３１が洗浄剤貯蔵部３７内で洗浄剤３６と接触し、そこで溶解した洗浄成分が自重で洗浄ケーシング３０へと排出され、洗浄ケーシング３０に貯留された洗浄液３１は洗浄剤３６の成分を含むものとなる。所定時間経過後（Ｓ４）、給水ポンプを停止する（Ｓ５）。
【００３９】
次に、電動機１０を稼動し羽根車１１を所定時間回転させることで（Ｓ６）、油捕集機構部１９の全周と羽根車１１のブレード１５が洗浄液３１に浸漬され、洗浄される。所定時間経過後（Ｓ７）、洗浄ケーシング３０に貯水された洗浄液３１には羽根車から剥離した油、埃汚れが浮遊した状態となっている。
【００４０】
続いて、電動機１０を稼働し羽根車１１を回転させたまま、開閉弁３８を開いて（Ｓ８）洗浄ケーシング３０内の洗浄液３１を排水トレイ３５に移動させる。この時、羽根車１１を回転させるのは、洗浄液３１を揺らしながら排水することで浮遊している油、埃汚れが羽根車１１に再付着するのを低減させるためである。しかし、その一部は羽根車１１に再付着してしまうため、再び給水ポンプ駆動部４２の作用によって給水ポンプ３３を稼動し貯水装置３２から残りの洗浄液３１をノズル３４から散水方向Ｂに所定時間散布し、羽根車１１のすすぎを行う（Ｓ９）。
【００４１】
そして、所定時間経過後（Ｓ１０）、給水ポンプを停止し（Ｓ１２）、すすぎ工程が完了する。
【００４２】
また、すすぎに用いた洗浄液３１の排水が終わった後、乾燥運転工程ではさらに速いスピードで電動機１０を稼動し羽根車１１を回転させ、送風と遠心力を利用して乾燥させる。
【００４３】
なお、本実施の形態のフローチャートでは、開閉弁３８の開放（Ｓ８）後に、給水ポンプ３３を稼動し貯水装置３２から残りの洗浄液３１をノズル３４から供給する（Ｓ９）、としたが、開閉弁３８の開放（Ｓ８）とノズル３４からの供給（Ｓ９）の間に所定時間の経過をカウントする工程を設け、洗浄ケーシング内から所定量の洗浄液が排水された後にノズル３４から洗浄液を供給してもよい。
【００４４】
ここで、洗浄剤３６は固体状であるものが望ましく、洗浄剤流出面４０を形成する目の細かいメッシュの目地の開口は、洗浄剤３６の形状よりも小さいことが望ましい。例えば透湿膜の効果を持つ薄膜のようなものであれば、洗浄剤流出面４０に付着した洗浄液３１は洗浄剤貯蔵部３７内に侵入し洗浄剤３６と接触して洗浄剤３６を溶解させる。溶解した洗浄剤３６と洗浄液３１は共に底部４１（傾斜面）を利用して自重により再度、洗浄ケーシング３０内に排出されることとなる。この際、溶解していない洗浄剤３６は洗浄剤貯蔵部３７内に留まり、洗浄運転の度に少量ずつ溶解して洗浄効果を高めることとなる。
【００４５】
特に羽根車１１や油捕集機構部１９で捕捉される油汚れを除去するため、ここでの洗浄剤３６はアルカリ成分であることが望ましい。例えばセスキ炭酸ソーダを用いるのであれば、１回の洗浄あたり１〜１０ｇ／Ｌ程度を溶解させることが出来れば洗浄液３１のｐＨを１０程度にすることができ、付着した油汚れをけん化してセッケンとグリセリンに分解する効果を得ることができる。ただし、ここでのｐＨは、１０に限定するものではなく、ｐＨ８〜１１程度の範囲にすることが出来れば充分に分解の効果があり、その作用に差異は生じない。
【００４６】
また、生成したセッケンは界面活性作用を持ち、洗浄液３１の排水時に羽根車１１やブレード１５、油捕集機構部１９に油、埃汚れが再付着するのを低減したり、再付着してしまってもその後のすすぎで剥離しやすくしたりする効果を得ることができる。これと同等の効果を得るためには、洗浄剤３６には界面活性剤を添加することも有効である。
【００４７】
一方で、羽根車１１や油捕集機構部１９には金属や樹脂を使用することが一般的であるが、これらの中にはアルカリへの耐薬品性が弱いものもあり、洗浄剤３６の成分によっては使用に適さないものや、使用することができても長期間の使用によって構成材質の腐食に繋がるものがある。しかし、本実施の形態のすすぎ工程では洗浄剤３６の成分を含まない洗浄液３１ですすぎを行うことができるため、洗浄後に洗浄剤３６の成分を羽根車１１に残さず、構成部材として使用できる材質の多様化、部材の長寿命化に繋がる。
【００４８】
また、本実施の形態では、ケーシング１４を備えた送風機について説明したが、洗浄ケーシング３０としては、側面板２１と、前面板２２と背面板２３と、舌部２４と、延設板２５と、延長板２６とを必ずしもすべて備えていなくても良い。すなわち、前面板２２と背面板２３とこれに挟まれた側面板２１とで機体を形成すれば洗浄液３１を貯水することができ、羽根車１１の洗浄を行うことができる。また、この場合、側面板２１は、風路を徐々に拡大するものでなくても良い。羽根車１１の回転軸２８より下方を包囲するものであれば洗浄液３１にブレード１５および油捕集機構部１９を浸すことができるからである。特に、プレートファンや風路を徐々に拡大するスクロール板までは必要としないターボファンの場合に適用できるものである。
【００４９】
また、貯水装置３２への洗浄液３１の給水は高温であっても良く、６０〜８０℃とすれば油汚れの成分である脂肪酸を溶解する効果を得られる。
【００５０】
洗浄液３１として水道水を利用する場合、貯水装置３２は上下水道に直結した構成としても良く、その場合は、貯水装置３２と、排水トレイ３５と、ノズル３４からの散水に充分な水圧を得られる場合は給水ポンプ３３を省略することができ、貯水装置３２への洗浄液３１の供給や排水トレイ３５に貯まった洗浄液３１を捨てる手間を省くことができる。
【００５１】
以上のように、ノズルからの洗浄液を洗浄剤に散布して洗浄液に洗浄剤を溶出させ、羽根車に付着した油汚れを取り除くことができ、ノズルからの洗浄液の散布を羽根車に散布することで羽根車のすすぎを行ない、羽根車への汚れの再付着を抑制し、また洗浄後に洗剤の成分を羽根車に残さないということが実現できる。
【産業上の利用可能性】
【００５２】
本発明にかかるレンジフードは、清浄な洗浄水ですすぎを行うことで羽根車と油捕集機構部への汚れの再付着を抑え洗浄度合いを高めると共に、洗浄剤の成分が内部に残留するのを抑制することができるものであり、同様の機能が付いた換気装置にも適用することができる。
【符号の説明】
【００５３】
１    レンジフード
２    本体
３    壁面
４    排出口
５    ダクト  
６    フード部
７    下面
８    吸込口
９    天面
１０    電動機
１１    羽根車
１２    送風機
１３    羽根車開口部
１４    ケーシング
１５    ブレード
１６    側板
１７    主板
１８    送風機流入口
１９    油捕集機構部
２０    送風機吹出口
２１    側面板
２２    前面板
２３    背面板
２４    舌部
２５    延設板
２６    延長板
２７    オリフィス
２８    回転軸
２９    洗浄装置
３０    洗浄ケーシング
３１    洗浄液
３２    貯水装置
３３    給水ポンプ
３４    ノズル
３５    排水トレイ
３６    洗浄剤
３７    洗浄剤貯蔵部
３８    開閉弁
３９    噴射口
４０    洗浄剤流出面
４１    底部
４２    給水ポンプ駆動部
１０１    吸込口
１０２    フード
１０３    壁面
１０４    ダクト
１０５    排出口
１０６    回転軸
１０７    電動機
１０８    羽根車
１０９    洗浄ケーシング
１１０    通風路
１１１    整流板
１１２    洗浄液
１１３    貯水装置
１１４    給水ポンプ
１１５    散水ノズル
１１６    孔
１１７    開閉弁
１１８    排水トレイ
１１９    主板
１２０    ブレード
１２１    油捕集機構部
【図１】
2018138831.tif 000003
【図２】
2018138831.tif 000004
【図３】
2018138831.tif 000005
【図４】
2018138831.tif 000006
【図５】
2018138831.tif 000007
【図６】
2018138831.tif 000008
【図７】
2018138831.tif 000009
【図８】
2018138831.tif 000010
【図９】
2018138831.tif 000011
【図１０】
2018138831.tif 000012
【図１１】
2018138831.tif 000013
【図１２】
2018138831.tif 000014